(57)【特許請求の範囲】
【請求項１】
ボイラーの排気管における凝結を防止する方法であって、
負荷量に比例して送風機の吸気量と燃料供給量を調節し、バーナーの火力を比例制御するステップと、
気温センサーによって測定された外気温度に基づいて、バーナーの火力を高めるかどうかを決めるステップと、
バーナーの火力を高め、排気ガスの温度を上昇させるステップとを含み、
前記バーナーの火力を高めるかどうかを決めるステップは、バーナーが所定量以下の燃料を消費する状態で、所定時間をかけて動作してきたかどうかを確認するステップをさらに含み、
前記バーナーの火力を高めるステップにおいて、測定された外気温度が所定温度と同等又はそれより低く、且つバーナーが所定量以下の燃料を消費する状態で、所定時間をかけて動作してきたことを確認し、排気管の端部に凝結が起こるときに、バーナーの火力を高め、排気ガスの温度を上昇させることを特徴とする凝結防止方法。
【請求項２】
前記バーナーの火力を高めるステップにおいて、バーナーが所定の燃焼継続時間を超えて動作したときに、バーナーの燃焼を比例制御するステップに戻ることを特徴とする請求項１に記載の凝結防止方法。
【請求項３】
前記バーナーの火力を高めるステップにおいて、コントローラが多段階の外気温度に応じて予め設定された異なる燃焼継続時間でバーナーの火力を高めるための制御を行うことを特徴とする請求項２に記載の凝結防止方法。
【請求項４】
前記バーナーの火力を高めるステップにおいて、測定された外気温度が前記所定温度と同等又はそれより低いときに、バーナーを最大火力で燃焼させることを特徴とする請求項２に記載の凝結防止方法。
【発明の詳細な説明】
【技術分野】
【０００１】
本発明は、比例制御ボイラーの排気管における凝結を防止する方法に関するものであり、より詳しくは、ボイラーの排気管における凝結を防ぐために、ボイラーの排気管を通り放出される空気の温度を上昇させることで、排気ガスに含まれる蒸気の凝結を防ぐ方法に関する。
【背景技術】
【０００２】
図１は、従来のボイラーの排気構造を図解した概略図である。従来のボイラーでは、空気供給パイプ１０を通して導入された外気は、送風機２０によって燃料と共にバーナー３０へ供給される。そして、バーナー３０の燃焼によって発生した排気ガスは、熱交換器４０において、循環ポンプ５０から流入した空間加熱用配管水との間で熱交換される。そして、熱交換された排気ガスは排気管６０を通ってボイラーの外部、つまり大気中へ放出される。
【０００３】
排気ガスは相当な量の水分を含んでおり、そして排気ガスの温度は通常１００℃か又はそれより高温である。従って、排気ガスに含まれる水分は排気管６０を通過する過程で凝縮されずに、蒸気の状態で外部に放出される。
【０００４】
しかしながら、例えば冬季のように外気温度が非常に低い時には、排気管６０の端部の温度も相当低くなる。外気温度が約４０℃〜５５℃の露点温度と同等又はそれよりも低くなると、排気ガスに含まれる蒸気が凝縮し始め、排気管６０の端部に凝結を発生する。
【０００５】
さらに、冬季に外気温度が０℃以下になると、排気管の端部に凝縮した蒸気が凍結して氷柱を形成する。氷柱は美観を損なうだけでなく、もし氷柱が高層ビルの上層階から落下すれば、生命や財産に損害を与えるおそれを生じる。
【発明の開示】
【発明が解決しようとする課題】
【０００６】
従来、排気管の端部に氷柱ができるのを防ぐために排気ガスの温度を上昇させる方法と、排気管６０の端部の温度低下を防ぐために排気管６０の外部を断熱する方法が提案されている。
【０００７】
ここで、排気ガスの温度はボイラーの運転効率に関連する。しかしながら、従来の氷柱防止方法の様に、排気ガスの温度を上げるとボイラー運転効率の低下が避けられず、それによってエネルギーの浪費を生じる。
【０００８】
さらに、排気管の外部を断熱する従来の方法は、複雑な構造と断熱材の使用が必要であることから出費が増えるため、それを適用するのは容易ではない。
【０００９】
従って、本発明は上記の問題を考慮してなされたものであり、その目的は、外気温度が所定温度と同等又はそれより低い時に、バーナーの火力を高めて、排気管を通り放出される排気ガスの温度を上昇させることにより、ボイラーの排気管端部における蒸気の凝結及び氷柱の生成を防止できる方法を提供することにある。
【課題を解決するための手段】
【００１０】
上記の問題を解決するために、本発明は、ボイラーの排気管における凝結を防ぐ方法を提示する。この方法は、送風機の吸気量に関連付けられた燃料供給量に基づいてバーナーの燃焼を比例制御するステップと、気温センサーによって測定された送風機の導入空気温度に基づいて、バーナーの火力を高めるかどうかを決めるステップと、測定された温度が所定温度より低く、排気管の端部に凝結が起きるときに、バーナーの火力を高め、排気ガスの温度を上昇させるステップとを備えたことを特徴とする。
【００１１】
さらに、バーナーの火力を高めるかどうかを決めるステップは、バーナーが所定量のガスを消費する状態で、所定時間をかけて動作してきたかどうかを確認するステップを含むことを特徴とする。
【００１２】
さらに、燃焼を比例制御するステップは、火力を高めるためのバーナーの燃焼継続時間が所定時間を超えたときに、バーナーの燃焼を比例制御することを特徴とする。
【００１３】
さらに、バーナーの火力を高めるステップは、コントローラが予め設定された多段階の外気温度ステージを使用し、各外気温度ステージに応じて異なる燃焼継続時間でバーナーの火力を高めるための制御を行うことを特徴とする。
【００１４】
さらに、バーナーの火力を高めるステップは、測定された外気温度が所定温度と同等又はそれより低い時に、バーナーを最大火力で燃焼させることを特徴とする。
【発明の効果】
【００１５】
上述したように、本発明のボイラーの排気管における凝結を防ぐ方法によると、冬季のように外気温度が蒸気の氷結温度と同等又はそれより低い時、バーナーの火力を高め、バーナーを最大火力で燃焼させるので、ボイラーの排気管を通して放出される排気ガスの温度を上昇させ、それによって排気管の端部に蒸気の凝結と氷柱ができるのを防止することができる。
【００１６】
さらに、バーナーを最大火力で燃焼させる状態が所定時間を超えて継続したときに、バーナーの燃焼を比例制御するステップに戻ることで、不要な燃料の消費を有利に防ぐ事ができる。
【図面の簡単な説明】
【００１７】
【図１】図１は従来のボイラーの排気構造を図解する概略図である。
【図２】図２は従来の比例制御ボイラーにおいて、ガスの消費量と排気ガスの温度との関係を示したグラフである。
【図３】図３は本発明による制御方法の一実施形態を図解したフローチャートである。
【発明を実施するための最良の形態】
【００１８】
以下に、本発明の実施形態について添付図面を参照して説明する。以下の記述と図面では、同一又は類似の構成部分を示すものに同じ参照数字が使用されており、同一又は類似の構成部分に関する記述の反復は省略する。
【００１９】
比例制御ボイラーは、所定範囲内の負荷量に比例してバーナーの火力を切換えるため、空間加熱や温水使用にあたってユーザーの利便性がよく、広く使用されてきた。また、比例制御ボイラーは、バーナーが必要とする火力に応じ、燃料と空気の量を制御して燃焼を行うため、ガス消費量を最大ガス消費量の３０％から４０％まで減少することが可能である。
【００２０】
図２は、従来の比例制御ボイラーのガス消費量と排気ガス温度との関係を示したグラフである。このグラフは、熱交換器に回帰する空間加熱用回帰水の温度が３０℃であり、熱交換器を通過して空間加熱を必要とする箇所のパイプに供給される空間加熱用供給水の温度が５０℃であるときの、ガス消費量と排気ガス温度との関係を示している。
【００２１】
図２に示すように、ガス消費量が減少すると、排気ガス温度もまた下がり、そして排気ガス温度が下がると、外気温度が低い環境下で排気管の冷却が起こりやすく、それによって、排気管が排気ガスの露点温度と同等又はそれより低い温度に冷やされる。
【００２２】
排気管が排気ガスの露点温度と同等又はそれより低い温度に冷やされると、排気管内を通過する排気ガスに含まれる蒸気が凝縮し、排気管の端部に付着する。排気管の端部に付着した水分は、外気温度が零度以下になると氷結し始め、氷柱を生成する。
【００２３】
本発明の比例制御ボイラーでは、ガス消費量が減少し、排気管を通して放出される排気ガス温度が下がり（例えば、図２において、ガス消費量が５０％、排気ガス温度が１００℃となった場合）、さらに、冬季のように、測定された外気温度が所定温度と同等又はそれより低くなると、この測定温度あたりで排気管に凝結が起こると判断し、バーナーの火力を高め、排気ガスの温度を上昇させる。以下に、制御方法を図３に基づいて詳細に説明する。
【００２４】
本発明の制御方法を実施するために、気温センサー（図示せず）を屋外又はボイラーの空気供給用送風機２０の入口に取付け、このセンサーで外気温度を検出する。
【００２５】
図３は、本発明による制御方法の一実施形態を図解したフローチャートである。
ボイラーが動作を開始すると、まず、コントローラは比例制御燃焼ステップを開始し、負荷量に比例して送風機２０の吸気量と燃料供給量を調節して、バーナーの火力を制御する（Ｓ１０１）。
【００２６】
次に、コントローラは、バーナーが所定量のガスと同等又はそれより少ないガスを消費する状態で、所定時間をかけて動作してきたかどうかを確認する（Ｓ１０３）。続いて、外気温度が所定温度と同等又はそれより低いかどうかを確認する（Ｓ１０５）。そして、これらの確認結果に従って、バーナーの火力を高めるかどうかを決定する（バーナーの火力を高めるかどうかを決めるステップ）。
【００２７】
例えば、ガス消費量が５０％以下になり、排気ガス温度が１００℃以下に低下したときに、コントローラは、排気管内で蒸気が凝縮するとみなして、この状態が１０分以上持続しているかどうかを確認する。そして、ガス消費量が５０％以下で、持続時間が１０分を超え、気温センサーの測定温度が０℃以下となった時点で、凝結を判定し、バーナーの火力を高めるための火力上昇制御を実行する。一方、上記の条件が満たされない場合は、バーナーを比例制御の動作状態に保つ（Ｓ１０１）。
【００２８】
バーナーの火力上昇制御においては、コントローラが予め設定された多段階の外気温度ステージを使用する。これらの温度ステージはそれぞれ５℃の間隔で設定され、コントローラは各温度ステージに応じた異なる燃焼継続時間でバーナーの火力を高めるための制御を実行する。
【００２９】
すなわち、コントローラは、外気温度が０℃以下であることを確認した後に（Ｓ１０５）、外気温度が−５℃以下であるかどうかを確認する（Ｓ１０７）。外気温度が０℃〜−５℃であるとき、バーナーを最大火力で動作させ、バーナーの火力を高める（Ｓ１０９）。そして、バーナーが最大火力で動作している時間が１分を超えたかどうかを確認し（Ｓ１１１）、最大火力での動作時間が１分を超えたときに、排気管の端部での蒸気の凝結を十分に防ぐことができると判断し、バーナーの燃焼を比例制御するステップ（Ｓ１０１）に戻る。一方、最大火力での動作時間が１分未満であるときには、バーナーを最大火力で継続的に動作させる。
【００３０】
時間経過に伴って、外気温度が−５℃以下に低下すると、次に、コントローラは外気温度が−１０℃以下に低下したかどうかを確認する（Ｓ１０７→Ｓ１１３）。そして、外気温度が−５℃〜−１０℃であるときに、バーナーを最大火力で動作させる（Ｓ１１５）。このときの温度は、−０℃〜−５℃と比較して低いため、バーナーを最大火力で３分間動作させる（Ｓ１１７）。
【００３１】
上記と同様の方法により、コントローラは、外気温度が−１０℃〜−１５℃であるとき（Ｓ１１９）、バーナーを最大火力で５分間動作させ（Ｓ１２１、Ｓ１２３）、外気温度が−１５℃以下であるときに、バーナーを最大火力で１０分間動作させる（Ｓ１２５、Ｓ１２７）。
【００３２】
バーナーの火力を高めるステップでは、バーナーの燃焼継続時間が多段階の外気温度ステージに応じて異なる値に設定されているので、最大火力でのバーナーの動作継続時間を最小にし、それによって燃料の浪費を防ぐことができる。
【００３３】
なお、外気温度ステージの温度間隔、及び火力を高めるためのバーナーの燃焼継続時間は、当業者によって容易に変更することができる。
【００３４】
以上では、本発明を目下のところ最も実用的で好ましいと考えられる態様に関して説明してきたが、本発明は、開示された態様と図面のみに限定されず、添付されたクレームの精神と範囲内に様々な改良と変更を含むことを意図してなされたものであることを理解されたい。
【産業上の利用可能性】
【００３５】
本発明によると、外気温度が所定温度と同等又はそれより低くなったときでも、ボイラーの排気管の端部に蒸気の凝結と氷柱ができるのを防ぐことが可能である。
【図１】
0005498166.tif 000002
【図２】
0005498166.tif 000003
【図３】
0005498166.tif 000004